(57)【特許請求の範囲】
【請求項１】
船舶に貯留されるバラスト水を生成するバラスト水処理システムであって、
被処理水を導入する被処理水流路と、前記被処理水を濾過するフィルタと、前記フィルタによって濾過された前記被処理水を導出する濾過水流路とを含む濾過装置と、
前記濾過水流路から分岐して前記被処理水流路に接続される循環流路と、
前記循環流路に接続されて、前記フィルタを洗浄するための塩素系の洗浄液を貯留する第１のタンクと、
前記循環流路に接続されて、前記洗浄液を中和するための中和液を貯留する第２のタンクと、
前記洗浄液を前記第１のタンクから前記循環流路に導入するための第１のバルブと、
前記中和液を前記第２のタンクから前記循環流路に導入するための第２のバルブと、
前記濾過水流路に設けられた紫外線ランプを含む紫外線照射装置と、
前記濾過水流路において、前記濾過水流路および前記循環流路の分岐部と、前記紫外線照射装置との間に設けられた第３のバルブと、
前記洗浄液、および前記洗浄液と混合された前記中和液を前記循環流路で循環させるポンプと、
前記循環流路から分岐して前記洗浄液および前記中和液を排出する排水流路と、
前記排水流路を開くための第４のバルブとを備える、バラスト水処理システム。
【請求項２】
前記バラスト水処理システムは、
清水を前記濾過水流路に導入する清水流路と、
前記第３のバルブを迂回して前記清水が前記紫外線照射装置に流入するように前記濾過水流路に接続された恒温循環流路と、
前記恒温循環流路に設けられた第５のバルブと、
前記紫外線照射装置から出た前記清水を前記循環流路に導くように前記濾過水流路および前記循環流路に接続されたＵＶ排水流路と、
前記ＵＶ排水流路に設けられた第６のバルブと、
前記濾過水流路に設けられて、前記濾過水流路を流れる前記清水の温度を計測する温度センサとをさらに備え、
前記温度センサによって計測された前記清水の温度が所定の温度よりも低い場合には、前記紫外線ランプが点灯するとともに前記ポンプは前記清水を循環させ、前記第１のバルブ、前記第２のバルブ、前記第３のバルブおよび前記第４のバルブは閉状態であり、前記第５のバルブおよび前記第６のバルブは開状態であり、
前記清水の前記温度が前記所定の温度である場合、前記第２のバルブ、前記第３のバルブ、前記第４のバルブ、前記第５のバルブおよび前記第６のバルブが閉状態であるとともに前記第１のバルブが開状態である、請求項１に記載のバラスト水処理システム。
【請求項３】
前記第１のタンクおよび前記第２のタンクは、前記循環流路の途中に並列に配置され、
前記第１のバルブは、前記第１のタンクの入口に設けられ、
前記第２のバルブは、前記第２のタンクの入口に設けられ、
前記バラスト水処理システムは、
前記第１のタンクの出口に設けられ、前記洗浄液の循環時および前記中和液の循環時には、前記第１のバルブとともに開状態である第７のバルブと、
前記第２のタンクの出口に設けられ、前記中和液の循環時には前記第２のバルブとともに開状態である第８のバルブとをさらに備える、請求項２に記載のバラスト水処理システム。
【請求項４】
前記洗浄液および前記中和液を前記排水流路へと導いた後に、前記第１から第８のバルブは閉状態であり、前記濾過装置は、前記清水流路を通じて導入された清水を貯留する、請求項３に記載のバラスト水処理システム。
【請求項５】
船舶に貯留されるバラスト水を生成するバラスト水処理システムの制御方法であって、
前記バラスト水処理システムは、
被処理水を導入する被処理水流路と、前記被処理水を濾過するフィルタと、前記フィルタによって濾過された前記被処理水を導出する濾過水流路とを含む濾過装置と、
前記濾過水流路から分岐して前記被処理水流路に接続される循環流路と、
前記循環流路に接続されて、前記フィルタを洗浄するための塩素系の洗浄液を貯留する第１のタンクと、
前記循環流路に接続されて、前記洗浄液を中和するための中和液を貯留する第２のタンクと、
前記洗浄液を前記第１のタンクから前記循環流路に導入するための第１のバルブと、
前記中和液を前記第２のタンクから前記循環流路に導入するための第２のバルブと、
前記濾過水流路に設けられた紫外線ランプを含む紫外線照射装置と、
前記濾過水流路において、前記濾過水流路および前記循環流路の分岐部と、前記紫外線照射装置との間に設けられた第３のバルブと、
前記洗浄液、および前記洗浄液と前記中和液との混合液を前記循環流路で循環させるポンプと、
前記循環流路から分岐して前記洗浄液および前記中和液を排出する排水流路と、
前記排水流路を開くための第４のバルブと、
前記第１のバルブ、前記第２のバルブ、前記第３のバルブおよび前記第４のバルブを制御する制御部とを備え、
前記制御方法は、
前記制御部によって前記第１のバルブが開かれた状態において、前記ポンプによって前記洗浄液を前記循環流路で循環させるステップと、
前記制御部によって前記第１のバルブおよび前記第２のバルブが開かれた状態において、前記ポンプによって前記洗浄液と前記中和液との前記混合液を前記循環流路で循環させるステップと、
前記制御部によって前記第４のバルブが開かれた状態において、前記ポンプによって前記混合液を前記排水流路を通じて排出するステップとを備える、バラスト水処理システムの制御方法。
【請求項６】
前記バラスト水処理システムは、
清水を前記濾過水流路に導入する清水流路と、
前記第３のバルブを迂回して前記清水が前記紫外線照射装置に流入するように前記濾過水流路に接続された恒温循環流路と、
前記恒温循環流路に設けられ、前記制御部によって制御される第５のバルブと、
前記紫外線照射装置から出た前記清水を前記循環流路に導くように前記濾過水流路および前記循環流路に接続されたＵＶ排水流路と、
前記ＵＶ排水流路に設けられ、前記制御部によって制御される第６のバルブと、
前記濾過水流路に設けられて、前記濾過水流路を流れる前記清水の温度を計測する温度センサとをさらに備え、
前記制御方法は、
前記フィルタの洗浄に先立って、前記濾過装置の内部および前記紫外線照射装置の内部に残る残水を排水するステップと、
前記残水を前記濾過装置および前記紫外線照射装置から排水した後に前記濾過装置の内部および前記紫外線照射装置の内部に清水を導入するステップと、
前記温度センサによって計測された前記清水の温度が所定の温度よりも低い場合には、前記紫外線ランプが点灯するとともに前記ポンプが前記清水を循環させ、さらに、前記制御部によって前記第１のバルブ、前記第２のバルブ、前記第３のバルブおよび前記第４のバルブを閉じるとともに、前記第５のバルブおよび前記第６のバルブを開くステップと、
前記清水の前記温度が前記所定の温度である場合、前記制御部によって前記第２のバルブ、前記第３のバルブ、前記第４のバルブ、前記第５のバルブおよび前記第６のバルブを閉じるとともに前記第１のバルブを開くステップとをさらに備える、請求項５に記載のバラスト水処理システムの制御方法。
【請求項７】
前記第１のタンクおよび前記第２のタンクは、前記循環流路の途中に並列に配置され、
前記第１のバルブは、前記第１のタンクの入口に設けられ、
前記第２のバルブは、前記第２のタンクの入口に設けられ、
前記バラスト水処理システムは、
前記第１のタンクの出口に設けられる第７のバルブと、
前記第２のタンクの出口に設けられる第８のバルブとをさらに備え、
前記洗浄液を前記循環流路で循環させるステップは、前記制御部によって前記第１のバルブおよび前記第７のバルブを開くステップを含み、
前記混合液を前記循環流路で循環させるステップは、前記制御部によって前記第２のバルブおよび前記第８のバルブを開くステップを含む、請求項６に記載のバラスト水処理システムの制御方法。
【請求項８】
前記制御方法は、
前記混合液を前記排水流路へと導いた後に、前記制御部によって、前記第１から第８のバルブを閉状態にするステップと、
前記濾過装置が前記清水流路を通じて導入された清水を貯留するステップとをさらに備える、請求項７に記載のバラスト水処理システムの制御方法。
【発明の詳細な説明】
【技術分野】
【０００１】
本発明は、バラスト水処理システム、および、その制御方法に関する。
【背景技術】
【０００２】
バラスト水は、船体姿勢あるいは喫水を安全な状態に維持するために船舶に積載される。たとえば搬出先において船舶から貨物が下ろされた後、船舶の周囲の水（海水、淡水、あるいは汽水）が採取されて、その水がバラスト水として船舶に積み込まれる。船舶に貯留したバラスト水は、その船舶の寄港地において船外に排出される。
【０００３】
国際航海を行う航船の場合、バラスト水が取水された海域とバラスト水が排出される海域とが異なり得る。バラスト水中に生物が生存する場合、バラスト水が船舶から排出されることにより、その生物は本来の生息地ではない海域に移動させられる。このため、バラスト水の排出が海域の生態系に影響を及ぼすという問題が生じうる。
【０００４】
この問題を回避するために、バラスト水を浄化するための装置および方法がこれまでに提案されている。たとえば特開２０１１−１９４３９６号公報（特許文献１）は、船舶用バラスト水の処理装置を開示する。この処理装置は、軸線を囲むように円筒配置されたフィルタを有する。フィルタは、その軸線を中心に回転自在に設けられる。処理装置は、フィルタを回転させつつ被処理水を濾過する。
【先行技術文献】
【特許文献】
【０００５】
【特許文献１】特開２０１１−１９４３９６号公報
【発明の概要】
【発明が解決しようとする課題】
【０００６】
濾過装置の濾過性能を維持するためには、フィルタを洗浄する必要がある。上記の処理装置は、フィルタの目詰まりを生じにくくするために、被処理水を濾過しながらフィルタを洗浄する。
【０００７】
長期間運転することによって、フィルタから除去しにくい汚れが徐々にフィルタに堆積することが起こり得る。濾過性能を維持するためには、濾過処理が行われていないときにもフィルタを洗浄できることが望ましい。バラストタンクは船体の底に設置されるため、バラスト水処理装置も船体の底の限られたスペースに設置されうる。人手によるフィルタの洗浄は容易ではないと考えられる。
【０００８】
本発明の目的は、人手を介することなく効果的にフィルタを洗浄することが可能なバラスト水処理システム、およびその制御方法を提供することである。
【課題を解決するための手段】
【０００９】
本発明の一態様に係るバラスト水処理システムは、船舶に貯留されるバラスト水を生成するバラスト水処理システムである。バラスト水処理システムは、被処理水を導入する被処理水流路と、被処理水を濾過するフィルタと、フィルタによって濾過された被処理水を導出する濾過水流路とを含む濾過装置と、濾過水流路から分岐して被処理水流路に接続される循環流路と、循環流路に接続されて、フィルタを洗浄するための塩素系の洗浄液を貯留する第１のタンクと、循環流路に接続されて、洗浄液を中和するための中和液を貯留する第２のタンクと、洗浄液を第１のタンクから循環流路に導入するための第１のバルブと、中和液を第２のタンクから循環流路に導入するための第２のバルブと、濾過水流路に設けられた紫外線ランプを含む紫外線照射装置と、濾過水流路において、濾過水流路および循環流路の分岐部と、紫外線照射装置との間に設けられた第３のバルブと、液体を循環流路で循環させるポンプと、循環流路から分岐して洗浄液および中和液を排出する排出流路と、排出流路を開くための第４のバルブとを備える。
【発明の効果】
【００１０】
上記によれば、人手を介することなく効果的にフィルタを洗浄することが可能なバラスト水処理システム、およびその制御方法を提供できる。
【図面の簡単な説明】
【００１１】
【図１】本発明の一実施形態に係るバラスト水処理システムを搭載した船舶を示した模式図である。
【図２】本発明の一実施形態に係るバラスト水処理システムの構成を示した概略図である。
【図３】図２に示した濾過装置の構成例を説明する図である。
【図４】図３のＩＶ−ＩＶ線に沿った断面図である。
【図５】図４に示されたフィルタの代表的な構成を説明する斜視模式図である。
【図６】図２に示した紫外線照射装置の構成例を示した図である。
【図７】本発明の一実施形態に係るバラスト水処理システムによって実行される一連の処理を示したフローチャートである。
【図８】図７に示されたバラスト水の注水工程（Ｓ１）を説明するための図である。
【図９】図７に示されたバラスト水の排水工程（Ｓ３）を説明するための図である。
【図１０】図７に示された清水置換工程（Ｓ４）を説明するための第１の図である。
【図１１】図７に示された清水置換工程（Ｓ４）を説明するための第２の図である。
【図１２】図７に示されたフィルタ洗浄工程（Ｓ２）のうちの清水の循環および恒温の処理（Ｓ１１）を説明するための図である。
【図１３】図７に示されたフィルタ洗浄工程（Ｓ２）のうちの洗浄水の循環処理（Ｓ１２）を説明するための図である。
【図１４】図７に示されたフィルタ洗浄工程（Ｓ２）のうちの中和液の循環処理（Ｓ１３）を説明するための図である。
【図１５】図７に示されたフィルタ洗浄工程（Ｓ２）のうちの中和水の排水処理（Ｓ１４）を説明するための図である。
【図１６】図７に示されたフィルタ洗浄工程（Ｓ２）のうちの清水の供給処理（Ｓ１５）を説明するための図である。
【発明を実施するための形態】
【００１２】
[本発明の実施形態の説明]
最初に本発明の実施態様を列記して説明する。以下において、「被処理水」との用語は、バラスト水処理システムによって処理される水を称する。
【００１３】
（１）本発明の一態様に係るバラスト水処理システムは、船舶に貯留されるバラスト水を生成するバラスト水処理システムである。バラスト水処理システムは、被処理水を導入する被処理水流路と、被処理水を濾過するフィルタと、フィルタによって濾過された被処理水を導出する濾過水流路とを含む濾過装置と、濾過水流路から分岐して被処理水流路に接続される循環流路と、循環流路に接続されて、フィルタを洗浄するための塩素系の洗浄液を貯留する第１のタンクと、循環流路に接続されて、洗浄液を中和するための中和液を貯留する第２のタンクと、洗浄液を第１のタンクから循環流路に導入するための第１のバルブと、中和液を第２のタンクから循環流路に導入するための第２のバルブと、濾過水流路に設けられた紫外線ランプを含む紫外線照射装置と、濾過水流路において、濾過水流路および循環流路の分岐部と、紫外線照射装置との間に設けられた第３のバルブと、液体を循環流路で循環させるポンプと、循環流路から分岐して洗浄液および中和液を排出する排出流路と、排出流路を開くための第４のバルブとを備える。
【００１４】
上記によれば、人手を介することなく効果的にフィルタを洗浄することが可能なバラスト水処理システムを実現できる。第３のバルブを閉じることによって、循環流路に液体を流すことができる。第１のバルブによって、洗浄液が循環流路を流れる。循環流路には濾過装置が設けられる。洗浄液によって濾過装置の中のフィルタを洗浄することができる。
【００１５】
フィルタの洗浄後には、第２のバルブによって、中和液を循環流路に導入することができる。塩素系の洗浄液が長期間残留した場合には、流路あるいはタンクに損傷を与える可能性がある。中和液を循環させることによってこのような問題を防ぐことができる。さらに、第４のバルブによって、中和された洗浄液を排出することができる。
【００１６】
（２）好ましくは、バラスト水処理システムは、第３のバルブを迂回するように濾過水流路に接続された恒温循環流路と、清水を濾過水流路に導入する清水流路と、恒温循環流路に設けられ、清水の循環時に開状態である第５のバルブと、紫外線照射装置から出た清水を循環流路に導くための清水導入路と、清水導入路に設けられ、清水の循環時に開状態である第６のバルブと、清水の温度を計測する温度センサとをさらに備える。温度センサによって計測された清水の温度が所定の温度よりも低い場合には、紫外線ランプが点灯するとともにポンプは清水を循環させる。清水の温度が所定の温度である場合、第５のバルブおよび第６のバルブが閉状態であるとともに第１のバルブが開状態である。
【００１７】
上記によれば、フィルタの洗浄効果を高めることができる。濾過装置の内部および紫外線照射装置の内部に残水（たとえば残海水）が残ったまま洗浄を開始した場合には、残水中の有機分により洗浄液の塩素濃度が低下するため、フィルタの洗浄効果が弱くなる。濾過装置および紫外線照射装置の内部から残水を排水して、その後に、濾過装置および紫外線照射装置の内部に清水を導入することにより、濾過装置および紫外線照射装置の内部の残水を清水に置換することができる。これによりフィルタの洗浄効果が高められる。さらに、清水が循環経路を流れることによって、洗浄液が循環される。清水を予め温めることによって、洗浄液の温度をフィルタの洗浄に適した温度にすることができる。
【００１８】
（３）好ましくは、第１のタンクおよび第２のタンクは、循環流路の途中に並列に配置される。第１のバルブは、第１のタンクの入口に設けられる。第２のバルブは、第２のタンクの入口に設けられる。バラスト水処理システムは、第１のタンクの出口に設けられ、洗浄液の循環時および中和液の循環時には、第１のバルブとともに開状態である第７のバルブと、第２のタンクの出口に設けられ、中和液の循環時には第２のバルブとともに開状態である第８のバルブとをさらに備える。
【００１９】
上記によれば、洗浄液および中和液を循環させた後に、第１のタンクおよび第２のタンクを空にすることができる。第１のバルブおよび第７のバルブが開状態であることにより、洗浄液および中和液が第１のタンクを通る。第２のバルブおよび第８のバルブが開状態であることにより、洗浄液および中和液が第２のタンクを通る。第１のバルブ、第２のバルブ、第７のバルブおよび第８のバルブが閉じられるとともに、洗浄液および中和液が排出される。これにより、第１のタンクおよび第２のタンクを空にすることができる。これにより、次に洗浄液および中和液を第１のタンクおよび第２のタンクへ投入する際に、液体を抜く手間を省くことができる。したがって第１のタンクあるいは第２のタンクが、長期間残留する液体によって損傷する（たとえば腐食する）可能性を小さくすることができる。
【００２０】
（４）好ましくは、洗浄液および中和液を排出流路へと導いた後に、第１から第８のバルブは閉状態である。濾過装置は、清水流路を通じて導入された清水を貯留する。
【００２１】
上記によれば、洗浄液および中和液が排出された後に、清水によって、濾過装置の内部を水密にすることができる。
【００２２】
（５）本発明の一態様に係るバラスト水処理システムの制御方法は、船舶に貯留されるバラスト水を生成するバラスト水処理システムの制御方法である。バラスト水処理システムは、被処理水を導入する被処理水流路と、被処理水を濾過するフィルタと、フィルタによって濾過された被処理水を導出する濾過水流路とを含む濾過装置と、濾過水流路から分岐して被処理水流路に接続される循環流路と、循環流路に接続されて、フィルタを洗浄するための塩素系の洗浄液を貯留する第１のタンクと、循環流路に接続されて、洗浄液を中和するための中和液を貯留する第２のタンクと、洗浄液を第１のタンクから循環流路に導入するための第１のバルブと、中和液を第２のタンクから循環流路に導入するための第２のバルブと、濾過水流路に設けられた紫外線ランプを含む紫外線照射装置と、濾過水流路において、濾過水流路および循環流路の分岐部と、紫外線照射装置との間に設けられた第３のバルブと、液体を循環流路で循環させるポンプと、循環流路から分岐して洗浄液および中和液を排出する排出流路と、排出流路を開くための第４のバルブと、第１のバルブ、第２のバルブ、第３のバルブおよび第４のバルブを制御する制御部とを備える。制御方法は、制御部によって第１のバルブが開かれた状態において、ポンプによって洗浄液を循環流路で循環させるステップと、制御部によって第１のバルブおよび第２のバルブが開かれた状態において、ポンプによって洗浄液と中和液との混合液を循環流路で循環させるステップと、制御部によって第４のバルブが開かれた状態において、ポンプによって混合液を排出流路を通じて排出するステップとを備える。
【００２３】
上記によれば、フィルタを自動的に洗浄することができる。さらに、フィルタの洗浄後には、中和液を循環流路に導入することができる。さらに、中和された洗浄液を排出することができる。
【００２４】
（６）好ましくは、バラスト水処理システムは、第３のバルブを迂回するように濾過水流路に接続された恒温循環流路と、清水を濾過水流路に導入する清水流路と、恒温循環流路に設けられ、清水の循環時に開状態である第５のバルブと、紫外線照射装置から出た清水を循環流路に導くための清水導入路と、清水導入路に設けられ、清水の循環時に開状態である第６のバルブと、清水の温度を計測する温度センサとをさらに備える。制御方法は、フィルタの洗浄に先立って、濾過装置の内部および紫外線照射装置の内部に残る残水を排水するステップと、濾過装置および紫外線照射装置から残水を排水した後に、濾過装置の内部および紫外線照射装置の内部に清水を導入するステップと、温度センサによって計測された清水の温度が所定の温度よりも低い場合には、紫外線ランプが点灯するとともにポンプが清水を循環させるステップと、清水の温度が所定の温度である場合、制御部によって第５のバルブおよび第６のバルブを閉じるとともに第１のバルブを開くステップとをさらに備える。
【００２５】
上記によれば、濾過装置の内部および紫外線照射装置の内部に残る水を排水し、その後に、濾過装置および紫外線照射装置の内部に清水を導入することにより、フィルタの洗浄効果が弱くなることを防止できる。さらに、清水を予め温めることによって、洗浄液が清水と混合されたときに、洗浄液の温度をフィルタの洗浄に適した温度にすることができる。
【００２６】
（７）好ましくは、第１のタンクおよび第２のタンクは、循環流路の途中に並列に配置される。第１のバルブは、第１のタンクの入口に設けられる。第２のバルブは、第２のタンクの入口に設けられる。バラスト水処理システムは、第１のタンクの出口に設けられる第７のバルブと、第２のタンクの出口に設けられる第８のバルブとをさらに備える。洗浄液を循環流路で循環させるステップは、制御部によって第１のバルブおよび第７のバルブを開くステップを含む。混合液を循環流路で循環させるステップは、制御部によって第２のバルブおよび第８のバルブを開くステップを含む。
【００２７】
上記によれば、洗浄液および中和液を循環させた後に、第１のタンクおよび第２のタンクを空にすることができる。
【００２８】
（８）好ましくは、制御方法は、混合液を排出流路へと導いた後に、制御部によって、第１から第８のバルブを閉状態にするステップと、濾過装置が清水流路を通じて導入された清水を貯留するステップとをさらに備える。
【００２９】
上記によれば、洗浄液および中和液が排出された後に、清水によって、濾過装置の内部を水密にすることができる。
【００３０】
[本発明の実施形態の詳細]
以下、本発明の実施の形態について、図面を参照しながら詳細に説明する。なお、図中同一または相当部分には同一符号を付してその説明は繰り返さない。
【００３１】
１．バラスト水処理システムの構成
図１は、本発明の一実施形態に係るバラスト水処理システムを搭載した船舶を示した模式図である。図１に示すように、船舶１は、本発明の一実施形態に係るバラスト水処理システム１００と、バラストタンク２とを有する。バラストタンク２はバラスト水４を貯留する。
【００３２】
バラスト水４がバラストタンク２に貯留される際には、バラスト水処理システム１００は、以下の処理を行う。バラスト水処理システム１００は、海域３から取水口５を通じて海水を採取して、採取された海水を浄化する。具体的には、バラスト水処理システム１００は、海水を濾過する。バラスト水処理システム１００は、濾過された海水に紫外線を照射して、バラスト水中の微生物を殺滅する。殺滅処理（紫外線照射）が施された海水は、バラストタンク２に貯留される。
【００３３】
船舶１の寄港地において、バラスト水４は、バラストタンク２から船外へ排出される。バラスト水４が排出される際に、バラスト水処理システム１００は、バラスト水４を浄化する。具体的には、バラスト水処理システム１００は、バラストタンク２からバラスト水４を汲み上げて、バラスト水４に紫外線を照射する。バラスト水処理システム１００は、排水口６を通じて、バラスト水４を海域へと排出する。
【００３４】
図２は、本発明の一実施形態に係るバラスト水処理システムの構成を示した概略図である。図２に示すように、バラスト水処理システム１００は、バラストポンプ１１と、濾過装置１２と、紫外線照射装置１３と、洗浄液タンク１４と、中和液タンク１５と、循環ポンプ１６と、温度センサ１７と、圧力計１８，１９と、制御部１０１とを含む。バラスト水処理システム１００は、さらに、被処理水導入路２１，２２と、濾過水流路２３と、排水流路２４，２５と、被処理水流路２６，２７，２８と、排水流路２９と、被処理水流路３０，３１と、循環流路３２，３３，３４，３５，３６，３７と、排水流路３８と、排水流路３９と、清水流路４０と、恒温循環流路４１と、ＵＶ排水流路４２と、エアベント管４３，４４と、清水流路４５とを含む。バラスト水処理システム１００は、さらに、バルブＷ１〜Ｗ２５を含む。バラスト水処理システム１００の図示が煩雑になるのを避けるため、図２では排水口６が２か所に示される。
【００３５】
バラストポンプ１１は、海域３（図１参照）からの被処理水の取水、およびバラストタンク２からのバラスト水の排出に用いられる。濾過装置１２は、被処理水を濾過する。このために、濾過装置１２は、フィルタ６１を含む。さらに、濾過装置１２は、フィルタ６１を回転させるモータ９０を含む。
【００３６】
紫外線照射装置１３は、フィルタ６１によって濾過された被処理水に、紫外線を照射する。
【００３７】
洗浄液タンク１４は、フィルタを洗浄するための洗浄液を貯留する。洗浄液は塩素系洗浄液である。塩素系洗浄液は、フィルタ６１に付着した有機物を分解できる。一実施形態では、塩素系洗浄液は、次亜塩素酸ナトリウム溶液であるが、これに限定されない。たとえば塩素系洗浄液は、次亜塩素酸カルシウム溶液であってもよい。
【００３８】
中和液タンク１５は、中和液を貯留する。中和液は、フィルタ６１を洗浄した後に洗浄液を中和するために用いられる。たとえば中和液は、チオ硫酸ナトリウムであるが、これに限定されない。
【００３９】
循環ポンプ１６は、洗浄液および中和液を循環させるために用いられる。循環ポンプ１６は、さらに、洗浄液および中和液を排出するために用いられるだけでなく、清水置換時（排水時）にも用いられる。
【００４０】
温度センサ１７は、濾過水流路２３を流れる液体の温度を測定する。圧力計１８は、濾過装置１２の上部の圧力を検出する。圧力計１９は、濾過装置１２の下部の圧力を検出する。圧力計１８，１９によって測定された圧力の差が、濾過装置１２の差圧に対応する。
【００４１】
被処理水導入路２１，２２は、バラストポンプ１１によって圧送された被処理水を通すための流路である。濾過水流路２３は、濾過装置１２によって濾過された被処理水を流すための流路である。被処理水は、濾過水流路２３によって紫外線照射装置１３へと導かれる。
【００４２】
排水流路２４は、濾過装置１２によって濾過されなかった水、あるいはフィルタ６１から除去された生物等（生物および粒子など）を含む水を排出するための流路である。排水流路２４は、排水口６に接続される。排水流路２５は、排水流路２４から分岐して、循環流路３５に接続される。
【００４３】
被処理水流路２６，２７，２８は、紫外線照射装置１３を通った後に被処理水を流すための流路である。被処理水流路２７は、被処理水流路２６から分岐して、被処理水導入路２１に接続される。被処理水流路２８は、被処理水流路２７から分岐して、バラストタンク２に被処理水（バラスト水）を導く。排水流路２９は、被処理水流路２６から分岐して、排水口６に接続される。
【００４４】
被処理水流路３０は、被処理水導入路２２から分岐して、被処理水流路２６に接続される。被処理水流路３１は、被処理水流路３０から分岐して、濾過水流路２３に接続される。
【００４５】
循環流路３２，３３，３４，３５，３６，３７は、洗浄液および中和液を循環させるための流路である。循環流路３２は、濾過水流路２３から分岐する。循環流路３３，３４は、循環流路３２に並列に接続される、言い換えると、循環流路３２は、循環流路３３および循環流路３４に分岐される。
【００４６】
洗浄液タンク１４は、循環流路３３に設けられる。中和液タンク１５は、循環流路３４に設けられる。すなわち洗浄液タンク１４、および中和液タンク１５は、循環流路に並列に設けられる。
【００４７】
循環流路３５は、循環流路３３，３４に接続される。循環流路３５は、循環ポンプ１６の吸水口に接続される。循環流路３６は、循環ポンプ１６の吐水口に接続される。循環流路３７は、循環流路３６に接続されるとともに、被処理水導入路２２に接続される。
【００４８】
排水流路３８は、排水流路２４と排水流路３９とをつなぐ。排水流路３９は、ドレイン７に接続される。ドレイン７は、船舶１（図１）の内部の排水口を表す。
【００４９】
清水流路４０は、清水（fresh  water）を導入するための流路である。清水流路４０は、たとえば清水タンク（図示せず）に接続される。さらに清水流路４０は、濾過水流路２３に接続される。恒温循環流路４１は、バルブＷ３を迂回するように、濾過水流路２３と、被処理水流路２６とに接続される。恒温循環流路４１は、清水の恒温循環の際に使用される。ＵＶ排水流路４２は、濾過水流路２３と循環流路３５とに接続される。ＵＶ排水流路４２は、清水の恒温循環の際、および紫外線照射装置１３からの排水の際に使用される。エアベント管４３は、濾過装置１２の空気抜き（エアベント）のための管である。エアベント管４４は、紫外線照射装置１３の内部の残水を排水するための管である。清水流路４５は、紫外線照射装置１３の内部に清水を導入するための管である。
【００５０】
バルブＷ１〜Ｗ２５は、液体（被処理水、バラスト水、洗浄液、および中和液）の流れを制御する。バルブＷ１〜Ｗ２５は、たとえば開閉弁である。ただし、バルブＷ１〜Ｗ２５の一部は流量制御弁でもよい。
【００５１】
バルブＷ１，Ｗ２は、被処理水導入路２１，２２にそれぞれ設けられる。バルブＷ３は、濾過水流路２３に設けられる。バルブＷ４，Ｗ５は、排水流路２４，２５にそれぞれ設けられる。バルブＷ６，Ｗ７，Ｗ８は、被処理水流路２６，２７，２８にそれぞれ設けられる。バルブＷ９は、排水流路２９に設けられる。バルブＷ１０は、被処理水流路２７に設けられる。バルブＷ１０の位置は、被処理水流路２７と被処理水流路２８との分岐部、および被処理水流路２７と被処理水導入路２２との接続部の間である。
【００５２】
バルブＷ１１は、被処理水流路３０に設けられる。バルブＷ１１の位置は、被処理水流路３０と被処理水流路３１との接続部、および被処理水流路３０と被処理水流路２６との接続部の間である。バルブＷ１２は、被処理水流路３１に設けられる。
【００５３】
バルブＷ１３，バルブＷ１４は、循環流路３３に設けられる。バルブＷ１５，バルブＷ１６は、循環流路３４に設けられる。より具体的には、バルブＷ１３は、洗浄液タンク１４の入口に設けられ、バルブＷ１４は、洗浄液タンク１４の出口に設けられる。バルブＷ１５は中和液タンク１５の入口に設けられ、バルブＷ１６は、中和液タンク１５の出口に設けられる。各タンクは、循環流路に接続された少なくとも１つの導入口を有する。その導入口にバルブを設けることによって、タンクに貯留された液を循環流路に導入することができる。この実施の形態では、各タンクの入口と出口の両方にバルブが設けられる。両方のバルブが開状態である場合、洗浄液あるいは中和液がタンクの内部を通る。これにより、洗浄液あるいは中和液がタンクの内部に長期間残留することを回避できる。たとえばタンクが損傷しにくくなるという効果が得られる。
【００５４】
バルブＷ１７は、循環流路３７に設けられる。バルブＷ１８は、排水流路３８に設けられる。バルブＷ１９は排水流路３９に設けられる。バルブＷ２０，Ｗ２１，Ｗ２２は、清水流路４０、恒温循環流路４１および、ＵＶ排水流路４２にそれぞれ設けられる。バルブＷ２３は、エアベント管４３に設けられる。バルブＷ２４，Ｗ２５は、それぞれ、エアベント管４４および清水流路４５に設けられる。
【００５５】
一実施形態では、上記の流路、導入路の各々は、金属の配管によって実現される。金属の配管は、難燃性であるため、好ましい。配管は、酸性またはアルカリ性の溶液に対する耐性を有することが好ましい。配管の内部は、たとえば樹脂によってコーティングされていてもよい。あるいは酸性またはアルカリ性の溶液に対する耐腐食性を有する金属によって配管の内部がコーティングされてもよい。
【００５６】
制御部１０１は、バラスト水処理システム１００を統括的に制御する。特に、制御部１０１は、バルブＷ１〜Ｗ２５を制御する。一実施形態によれば、制御部１０１は、制御盤として実現される。
【００５７】
図３は、図２に示した濾過装置１２の構成例を説明する図である。図４は、図３のＩＶ−ＩＶ線に沿った断面図である。図３および図４に示すように、被処理水は、被処理水導入路２２（図２を参照）から被処理水流路６６を通り、ケース６３の内部へ供給される。ケース６３の内部には、円筒形状のフィルタ６１が設けられている。軸線Ｃはフィルタ６１（円筒）の中心軸を示す。言い換えると、フィルタ６１は、軸線Ｃを囲むように配置されている。
【００５８】
モータ９０は、フィルタ６１の中心軸と接続される。モータ９０は、駆動装置（図示せず）から電力が供給されることによって、軸線Ｃを中心としてフィルタ６１を回転させる。モータ９０は、モータカバー９１で覆われている。
【００５９】
フィルタ６１の円筒上下面は水密に塞がれている。回転自在な取り付け構造は、同じく水密構造とする必要があるが、特に限定されることなく既知の構造が用いられる。
【００６０】
ケース６３は、フィルタ６１の全体を覆う。ケース６３は、外筒部７１と、蓋部７２と、底部７３とを有する。底部７３には、排水流路２４（図２を参照）に接続される排出流路６５が設けられる。ケース６３の内部には、被処理水を導入するために、被処理水流路６６と、被処理水ノズル６２とが設けられる。
【００６１】
被処理水ノズル６２は、被処理水流路６６から延設されるように構成される。被処理水ノズル６２の先端にノズル口６７が形成される。ノズル口６７は、ケース６３の外筒部７１の中に配置される。被処理水がノズル口６７からフィルタ６１の外周面に向けて流出するように、ノズル口６７が形成される。
【００６２】
中心配管８０は、軸線Ｃ上に配置される。中心配管８０は、濾過水流路６４に接続される。濾過水流路６４は濾過水流路２３（図２を参照）に接続される。なお、中心配管８０は回転しない。
【００６３】
図５は、図４に示されたフィルタ６１の代表的な構成を説明する斜視模式図である。図４および図５に示すように、フィルタ６１はプリーツフィルタである。平面帯状の基材を山谷交互に折りたたむことによって、いわゆるプリーツ形状が形成される。プリーツ状に形成された基材の両端をつなぎ合わせることで、円筒状のプリーツフィルタが形成される。
【００６４】
フィルタの基材には、多孔質樹脂シートが用いられる。多孔質樹脂シートの材質として、例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用される。高流量での濾過処理を行なうために、ポリエチレンテレフタレートなどのポリエステルからなる不織布が特に好適に用いられる。
【００６５】
図３および図４を再び参照して、被処理水は被処理水流路６６を通り、被処理水ノズル６２のノズル口６７から噴出する。ノズル口６７から噴出した被処理水は、フィルタ６１の円筒外部から円筒内部へと透過される。これによって被処理水が濾過される。フィルタ６１を透過することによって濾過された被処理水は、中心配管８０に設けられた取水穴８１を通して濾過水流路６４に導かれて、濾過装置１２の外部に流出される。
【００６６】
フィルタ６１によって濾過されなかった水および、ケース６３の底部７３に沈殿した濁質分は、排出流路６５を通じて濾過装置１２の外部に排出される。このように濁質分、あるいは残った水が連続的に排出されつつ濾過が行われる。これにより、被処理水の処理量として要求される処理量を確保することができる。
【００６７】
以上の動作において、フィルタ６１の外周面には生物あるいは粒子等の濁質が付着する。図３に示す構成によれば、モータ９０がフィルタ６１を回転させる。ノズル口６７から噴出した被処理水は、回転するフィルタ６１の外周面に当たる。被処理水の圧力および回転する水流によって、フィルタ６１の外周面には常に水流が生じる。これによってフィルタ６１に付着した濁質分が除去されやすい。すなわち、この実施の形態によれば、バラスト水を濾過すると同時にフィルタ６１を洗浄することができる。
【００６８】
図６は、図２に示した紫外線照射装置１３の構成例を示した図である。図６に示すように、紫外線照射装置１３は、ケース１１１と、光源としての紫外線ランプ１１２と、ランプ電源１１３と、照度センサ１１４とを備える。
【００６９】
ケース１１１は、濾過水流路２３と被処理水流路２６とに接続されて、紫外線ランプ１１２を収容する。被処理水は、濾過水流路２３から紫外線照射装置１３のケース１１１の内部に流入し、被処理水流路２６へと流出する。すなわち紫外線ランプ１１２は、濾過水流路に設けられる。
【００７０】
紫外線ランプ１１２は、ケース１１１の内部を通過する被処理水に紫外線を照射する。紫外線ランプ１１２の点灯および消灯、ならびに紫外線ランプ１１２から被処理水に照射される紫外線の照射量は、制御部１０１からの信号ＵＶＣによって制御される。照度センサ１１４は、被処理水への紫外線の照度を検出して、検出された照度Ｉを示す信号を、制御部１０１へと送信する。制御部１０１は、ランプ電源１１３から紫外線ランプ１１２に供給される電力を制御する。
【００７１】
２．バラスト水処理システムの制御
図７は、本発明の一実施形態に係るバラスト水処理システム１００によって実行される一連の処理を示したフローチャートである。図２および図７に示すように、ステップＳ１において、バラスト水処理システム１００は、被処理水を浄化する。バラスト水処理システム１００は、浄化された水をバラスト水としてバラストタンク２に注水する。
【００７２】
ステップＳ２において、バラスト水処理システム１００は、フィルタ洗浄工程を実施する。
【００７３】
ステップＳ３において、バラスト水処理システム１００は、バラスト水をバラストタンク２から船外に排水する。ステップＳ４において、バラスト水処理システム１００は、濾過装置１２および紫外線照射装置１３の内部に清水を導入する（清水置換）。
【００７４】
フィルタ洗浄工程について詳細に説明する。ステップＳ２は、ステップＳ１０〜Ｓ１５を含む。
【００７５】
ステップＳ１０において、バラスト水処理システム１００は、濾過装置１２の内部および紫外線照射装置１３の内部から残水（残海水）を排出する。次に、バラスト水処理システム１００は、濾過装置１２の内部および紫外線照射装置１３の内部に清水を導入する（清水置換）。
【００７６】
ステップＳ１１において、バラスト水処理システム１００は、清水を循環流路で循環させる。加えて、バラスト水処理システム１００は、清水の温度を制御して、清水の温度を適温に保つ（恒温）。詳細には、バラスト水処理システム１００は、紫外線ランプ１１２（図７を参照）を点灯させるとともに、紫外線照射装置１３に清水を通す。バラスト水処理システム１００は、紫外線ランプ１１２から発する熱によって清水を温める。
【００７７】
ステップＳ１２において、バラスト水処理システム１００は、洗浄液を循環させる。洗浄液は洗浄液タンク１４から循環流路へと導入される。清水によって洗浄液が循環される。洗浄液はフィルタ６１を通過する。フィルタ６１に付着した有機物を洗浄液によって分解することができる。したがってフィルタ６１が洗浄される。
【００７８】
ステップＳ１３において、バラスト水処理システム１００は、中和液を循環させる。中和液は中和液タンク１５から循環流路へと導入される。洗浄液と中和液とが混合されることによって、洗浄液が中和される。
【００７９】
この実施の形態では、洗浄液は塩素系の洗浄液である。循環流路は金属の配管によって実現される。洗浄液が配管に長期間にわたり残留した場合、その残留した洗浄液が配管に損傷を与える（配管が腐食する）ことが考えられる。中和液を循環流路で循環させることによって、配管の損傷する可能性を低減できる。洗浄液と中和液との混合液、言い換えると、中和された洗浄液を、以下では「中和水」と呼ぶ。
【００８０】
ステップＳ１４において、バラスト水処理システム１００は、中和水を排水する。中和水は、循環流路から分岐した排出経路から排出される。
【００８１】
ステップＳ１５において、バラスト水処理システム１００は、清水流路４０を通じて濾過装置１２に清水を供給する。濾過装置１２は清水で満たされる。
【００８２】
続いて、バラスト水の注水工程（Ｓ１）、バラスト水の排水工程（Ｓ３）、清水置換工程（Ｓ４）、およびフィルタ洗浄工程（Ｓ２，Ｓ１１〜Ｓ１５）の順に、各工程を詳細に説明する。以下に説明される図面において、バルブの近傍に矢印を記載することによって、そのバルブが開状態であることが表される。あるバルブについて特別に言及されない場合、そのバルブは閉状態である。
【００８３】
図８は、図７に示されたバラスト水の注水工程（Ｓ１）を説明するための図である。図８に示すように、バルブＷ１，Ｗ２，Ｗ３，Ｗ４，Ｗ６，Ｗ７，Ｗ８は開状態とされる。
【００８４】
バラストポンプ１１が駆動されることにより、取水口５を介して船舶１の周囲から被処理水（たとえば海水）が汲み上げられる。被処理水は被処理水導入路２１，２２を通じて濾過装置１２に送られる。濾過装置１２は、被処理水を濾過して、被処理水中の生物と獨質とを取り除く。濾過された水は、濾過水流路２３を流れて、紫外線照射装置１３へと導かれる。濾過されなかった水および濁質分は、排水流路２４を通り、排水口６から船舶１の外（海域）に排出される。
【００８５】
バルブＷ４は、流量制御弁であることが好ましい。排水流路２４を流れる水の流量をバルブＷ４によって制御することができる。これにより、濾過装置１２の処理能力（単位時間当たりに濾過できる水の量）を制御することができる。破線の矢印によって示されるように、バルブＷ４とともにバルブＷ５，Ｗ１８が開状態であり、循環ポンプ１６が駆動されてもよい。濾過装置１２の処理能力を制御することができる。
【００８６】
被処理水は、紫外線照射装置１３を通る。被処理水には紫外線がを照射される。被処理水は、被処理水流路２６，２７，２８を流れて、バラストタンク２に貯留される。バルブＷ６は、流量制御弁であることが好ましい。被処理水流路２６を流れる水の流量をバルブＷ６によって制御することができる。
【００８７】
図９は、図７に示されたバラスト水の排水工程（Ｓ３）を説明するための図である。図９に示すように、バルブＷ６，Ｗ８，Ｗ９，Ｗ１０，Ｗ１２は開状態とされる。バラストポンプ１１が駆動されることにより、バラストタンク２からバラスト水４が汲み上げられる。バラスト水は、被処理水流路２７，３１および濾過水流路２３を通り、紫外線照射装置１３へと導かれる。紫外線照射装置１３は、バラスト水に紫外線を照射する。バラスト水内に微生物あるいは細菌が生息していたとしても、それらの生物を紫外線によって殺滅できる。紫外線照射処理の後、バラスト水は、被処理水流路２６および排水流路２９を流れて排水口６から船舶１の外（海域）に排出される。バルブＷ６により、被処理水流路２６を流れる水の流量が制御される。
【００８８】
図１０は、図７に示された清水置換工程（Ｓ４）を説明するための第１の図である。図１０に示されるように、バルブＷ２３，Ｗ５，Ｗ１８が開状態とされ、循環ポンプ１６が駆動されることにより、濾過装置１２の内部からは残海水が排出される。残海水は、排水流路２４，２５、循環流路３６、および排水流路３８を通り、排水口６を通じて排出される。さらに、バルブＷ２３，Ｗ２４が開状態とされることによって、紫外線照射装置１３の内部から、残海水が、ＵＶ排水流路４２、循環流路３６、および排水流路３８を通り、排水口６を通じて排出される。
【００８９】
図１１は、清水置換工程（Ｓ４）を説明するための第２の図である。図１１に示されるように、バルブＷ２０，Ｗ２３，Ｗ２４，Ｗ２５が開状態とされる。清水流路４０，４５を通じて清水がバラスト水処理システム１００に導入される。清水は濾過水流路２３を通じて濾過装置１２の内部に導入されるとともに、紫外線照射装置１３の内部に導入される。
【００９０】
次に、図７に示されたフィルタ洗浄工程（Ｓ２）を詳細に説明する。なお、ステップＳ１０における清水置換処理は、図１０および図１１に示された処理と同様であるので、詳細な説明は以後繰り返さない。
【００９１】
図１２は、図７に示されたフィルタ洗浄工程（Ｓ２）のうちの清水の循環および恒温の処理（Ｓ１１）を説明するための図である。図１２に示すように、バルブＷ２０，Ｗ２１，Ｗ２２，Ｗ１７が開状態とされ、循環ポンプ１６が駆動される。
【００９２】
清水は、濾過水流路２３、恒温循環流路４１、被処理水流路２６、ＵＶ排水流路４２、循環流路３５，３６，３７，被処理水導入路２２、および濾過装置１２を通り、この順に循環する。温度センサ１７は、清水の温度を計測する。
【００９３】
一実施形態では、計測された温度が３０℃以下の場合に、紫外線照射装置１３の紫外線ランプ（図７を参照）が点灯する。清水の温度が３０℃に達するまで、紫外線ランプが点灯する。制御部１０１は、紫外線ランプに供給される電力を制御する。清水の温度が３０℃に達したときに、紫外線ランプが消灯する。清水の好ましい温度は、３０℃に限定されず、ある範囲（たとえば２５℃から３５℃までの範囲）の中から適切に選択された温度であってもよい。
【００９４】
図１３は、図７に示されたフィルタ洗浄工程（Ｓ２）のうちの洗浄水の循環処理（Ｓ１２）を説明するための図である。図１３に示すように、バルブＷ１３，Ｗ１４，Ｗ１７が開状態とされる。温まった清水が、循環流路３３を通じて洗浄液タンク１４に導入される。これにより、清水と洗浄液とが混合される。この実施の形態では、洗浄液の量は、１回の洗浄工程に必要な量である。余剰の洗浄液が洗浄液タンク１４に長期間にわたり残留することを防ぐことができる。したがって、洗浄液タンク１４の腐食の可能性を低減できる。洗浄液の量は、循環する流路の長さ、流路の断面積、フィルタ６１の表面積、洗浄に必要な洗浄液の濃度等によって定めることができる。
【００９５】
洗浄液タンク１４に洗浄液を充填するタイミングは、適切に定めることができる。なお、洗浄液が洗浄液タンク１４に長期間貯留した場合には、洗浄液タンク１４が損傷する可能性がある。したがって洗浄液が洗浄液タンク１４に貯留される期間ができるだけ短くなるように、洗浄液タンク１４に洗浄液を充填するタイミングを定めることが好ましい。なお、洗浄液が洗浄液タンク１４に長期間にわたり貯留されることが予想される場合には、内面に防蝕コーティング等が施された洗浄液タンク１４を用いることが好ましい。
【００９６】
循環ポンプ１６によって、洗浄液は、循環流路３５，３６，３７，被処理水導入路２２を流れて、濾過装置１２に導入される。フィルタ６１は洗浄液によって洗浄される。清水を予め温めることによって、清水と洗浄液との混合液による洗浄の効果を高めることができる。
【００９７】
洗浄液は、濾過装置１２から濾過水流路２３、循環流路３２、循環流路３３へと流れ、循環流路３５へと流入する。すなわち洗浄液が循環される。
【００９８】
洗浄液を濾過装置１２に直接注入した場合には、洗浄液と清水とが十分に混ざらない可能性がある。この場合、たとえばフィルタ６１が部分的に洗浄されることが考えられる。すなわち洗浄の効果が弱くなる可能性がある。この実施の形態では、バラスト水処理システム１００の流路（循環流路）を利用して、洗浄液と清水との混合液を循環させる。洗浄液と清水とを十分に均一に混ぜることができるので、フィルタ６１をより効果的に洗浄することができる。
【００９９】
図１４は、図７に示されたフィルタ洗浄工程（Ｓ２）のうちの中和液の循環処理（Ｓ１３）を説明するための図である。図１４に示すように、バルブＷ１３，Ｗ１４，Ｗ１７に加えて、バルブＷ１５，Ｗ１６が開状態とされる。洗浄液が循環流路３４を通じて中和液タンク１５に導入される。これにより、洗浄液と中和液とが混合される。洗浄液と中和液との混合液、すなわち中和水が、循環流路３５，３６，３７、濾過装置１２、濾過水流路２３、および循環流路３２を流れ、循環流路３３および循環流路３４へと流入する。中和水は、循環流路３３および循環流路３４の両方から循環流路３５へと合流する。中和水を循環することによって、流路（配管）中に洗浄液が残留することを防ぐことができる。
【０１００】
図１５は、図７に示されたフィルタ洗浄工程（Ｓ２）のうちの中和水の排水処理（Ｓ１４）を説明するための図である。図１５に示すように、バルブＷ１７は閉状態とされる。これにより中和水の循環が停止する。バルブＷ１３，Ｗ１４，Ｗ１５，Ｗ１６，Ｗ１９が開状態とされる。さらに、バルブＷ２３が開状態とされる。濾過装置１２の内部に空気が導入されることによって、中和水は濾過装置１２から排出される。中和水は、濾過水流路２３、循環流路３２，３３，３４，３５，３６を通り、ドレイン７から排出される。
【０１０１】
洗浄液タンク１４および中和液タンク１５は、ともに空の状態にされる。洗浄液あるいは中和液がタンクの中に残留しない。長期間にわたり薬品が滞留することによってタンクが損傷するという問題を防ぐことができる。さらに、濾過装置１２の内部の中和液と同時に、洗浄液および中和液タンク１５内の中和液を排水することによって、次に洗浄液および中和液を投入する際の手間を省くことができる。濾過装置１２の内部の水位レベルは、圧力計１８および圧力計１９によって監視される。すなわち、水位レベルは濾過装置１２の内部の差圧によって監視される。中和水の排水が完了すると、循環ポンプ１６が停止する。
【０１０２】
図１６は、図７に示されたフィルタ洗浄工程（Ｓ２）のうちの清水の供給処理（Ｓ１５）を説明するための図である。図１６に示すように、バルブＷ２０，Ｗ２３が開状態とされる。清水流路４０を通じて清水がバラスト水処理システム１００に導入される。清水は濾過水流路２３から濾過装置１２に導入される。中和水の排出の時と同じく、濾過装置１２の内部の水位レベルは、圧力計１８および圧力計１９によって監視される。清水が濾過装置１２の内部に導入されることによって、濾過装置１２は水密構造を保つことができる。
【０１０３】
以上のように、本発明の実施の形態によれば、バラスト水処理システム１００は、洗浄液を貯留するための洗浄液タンク１４を含む。洗浄液タンク１４は、循環流路に設けられる。循環流路は濾過水流路に接続される。バラスト水処理システム１００に含まれるバルブおよびポンプの制御によって、人手を介することなく、フィルタを洗浄することができる。したがって、バラスト水の注水後に、フィルタを自動で洗浄することができる。
【０１０４】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【０１０５】
１  船舶
２  バラストタンク
３  海域
４  バラスト水
５  取水口
６  排水口
７  ドレイン
１１  バラストポンプ
１２  濾過装置
１３  紫外線照射装置
１４  洗浄液タンク
１５  中和液タンク
１６  循環ポンプ
１７  温度センサ
１８，１９  圧力計
２１，２２  被処理水導入路
２３，６４  濾過水流路
２４，２５，２９，３９  排水流路
２６，２７，２８，３０，３１，６６  被処理水流路
３２，３３，３４，３５，３６，３７  循環流路
３８  排水流路
４０，４５  清水流路
４１  恒温循環流路
４２  ＵＶ排水流路
４３，４４  エアベント管
６１  フィルタ
６２  被処理水ノズル
６３，１１１  ケース
６５  排出流路
６７  ノズル口
７１  外筒部
７２  蓋部
７３  底部
８０  中心配管
８１  取水穴
９０  モータ
９１  モータカバー
１００  バラスト水処理システム
１０１  制御部
１１２  紫外線ランプ
１１３  ランプ電源
１１４  照度センサ
Ｃ  軸線
Ｉ  照度
Ｓ１〜Ｓ４，Ｓ１０〜Ｓ１５  ステップ
ＵＶＣ  信号
Ｗ１〜Ｗ２５  バルブ
【図１】
0006296070.tif 000002
【図２】
0006296070.tif 000003
【図３】
0006296070.tif 000004
【図４】
0006296070.tif 000005
【図５】
0006296070.tif 000006
【図６】
0006296070.tif 000007
【図７】
0006296070.tif 000008
【図８】
0006296070.tif 000009
【図９】
0006296070.tif 000010
【図１０】
0006296070.tif 000011
【図１１】
0006296070.tif 000012
【図１２】
0006296070.tif 000013
【図１３】
0006296070.tif 000014
【図１４】
0006296070.tif 000015
【図１５】
0006296070.tif 000016
【図１６】
0006296070.tif 000017